(57)【要約】 【課題】  本発明は、簡単な取付け作業により接続可能な、バッテリーポストとバッテリーターミナルとの接続構造を提供する。【解決手段】  電極保持部２１にはバッテリーポスト１１の軸線方向に沿って延びると共にバッテリーポスト１１に形成した受け突起１５を逃がすための逃げ溝２８を設けて、受け突起１５と逃げ溝２８とを整合させた状態で電極保持部２１をバッテリーポスト１１の正規深さ位置に嵌合させた後、電極保持部２１をバッテリーポスト１１の周りに回動させることにより、抜け止め部と受け突起１５とが係止する。これにより、バッテリーターミナル１２の抜け止めを図る。【選択図】  図１
2006338999.tif 000002
【特許請求の範囲】
【請求項１】
バッテリーに形成されたバッテリーポストと、前記バッテリーポストを取り囲むように形成されると共に前記バッテリーポストに上方から嵌合する電極保持部を備えるバッテリーターミナルとの接続構造であって、
前記電極保持部には前記バッテリーポストの外周面と弾性的に接触するばね片が形成されており、
前記バッテリー側には受け構造が形成されており、
前記受け構造と係止することで前記電極保持部が前記バッテリーポストから外れるのを防止する外れ止め構造は、前記バッテリーターミナルに形成されるか、又は、前記バッテリーターミナル及び前記バッテリーとは異なる部品に形成されており、
前記電極保持部が前記バッテリーポストに嵌合した状態では、前記受け構造と前記外れ止め構造とは離間した位置にあり、前記外れ止め構造を変位させて前記受け構造と係止させるための操作は一段階でなされる構成となっていることを特徴とするバッテリーポストとバッテリーターミナルとの接続構造。
【請求項２】
前記受け構造は、前記バッテリーポストの外周面に、外方に向かって突設された受け突起からなり、
前記外れ止め構造は、前記バッテリーターミナルの前記電極保持部に形成された抜け止め部からなり、
前記電極保持部には前記バッテリーポストの軸線方向に沿って延びると共に前記受け突起を逃がすための逃げ溝を設けて、前記受け突起と前記逃げ溝とを整合させた状態で前記電極保持部を前記バッテリーポストの正規深さ位置に嵌合させた後、前記電極保持部を前記バッテリーポストの周りに回動させることにより、前記抜け止め部と前記受け突起とが係止する構成となっていることを特徴とする請求項１記載のバッテリーポストとバッテリーターミナルとの接続構造。
【請求項３】
前記外れ止め構造は前記バッテリーポストを上方から覆うカバーであって、前記カバーには、前記バッテリーポストに嵌合した前記電極保持部を下方に押え付ける押え付け部と、前記カバーの側壁に形成された係止部とが形成されており、
前記バッテリーに形成された前記受け構造は、前記カバーの前記係止部と係合して前記カバーを前記バッテリーに固定する係合部からなることを特徴とする請求項１記載のバッテリーポストとバッテリーターミナルとの接続構造。
【発明の詳細な説明】
【技術分野】
【０００１】
本発明は、バッテリーポストとバッテリーターミナルとの接続構造に関する。
【背景技術】
【０００２】
従来よりバッテリーターミナルとしては、特許文献１に掲載されたものが知られており、これは、金属帯材を環形に回曲して電極保持部が形成されるとともに、その両端から一対の脚片が対向状に延出して形成され、この脚片にはボルト孔が貫通形成されている。そして、電極保持部をバッテリーに突設されたバッテリーポストに嵌合したのち、ボルト孔に通されたボルトにナットを螺合して締め付けると両脚片が互いに引き寄せられて電極保持部が縮径変形される。これにより、電極保持部がバッテリーポストの外周面に押し付けられて電極保持部とバッテリーポストとの接続が図られる。
【特許文献１】特開平８−３１５８８９号公報
【発明の開示】
【発明が解決しようとする課題】
【０００３】
しかしながら上記の構成によると、バッテリーターミナルをバッテリーポストに取り付けるためには、レンチによってナットを何度も回転させて締め付ける工程が必要となるため、作業工程が煩雑になるという問題があった。
【０００４】
本発明は上記のような事情に基づいて完成されたものであって、簡単な取付け作業により接続可能な、バッテリーポストとバッテリーターミナルとの接続構造を提供することを目的とする。
【課題を解決するための手段】
【０００５】
上記の目的を達成するための手段として、請求項１の発明は、バッテリーに形成されたバッテリーポストと、前記バッテリーポストを取り囲むように形成されると共に前記バッテリーポストに上方から嵌合する電極保持部を備えるバッテリーターミナルとの接続構造であって、前記電極保持部には前記バッテリーポストの外周面と弾性的に接触するばね片が形成されており、前記バッテリー側には受け構造が形成されており、前記受け構造と係止することで前記電極保持部が前記バッテリーポストから外れるのを防止する外れ止め構造は、前記バッテリーターミナルに形成されるか、又は、前記バッテリーターミナル及び前記バッテリーとは異なる部品に形成されており、前記電極保持部が前記バッテリーポストに嵌合した状態では前記受け構造と前記外れ止め構造とは離間した位置にあり、前記外れ止め構造を変位させて前記受け構造と係止させるための操作は一段階でなされる構成となっていることを特徴とする。
【０００６】
請求項２の発明は、請求項１に記載のものにおいて、前記受け構造は、前記バッテリーポストの外周面に、外方に向かって突設された受け突起からなり、前記外れ止め構造は、前記バッテリーターミナルの前記電極保持部に形成された抜け止め部からなり、前記電極保持部には前記バッテリーポストの軸線方向に沿って延びると共に前記受け突起を逃がすための逃げ溝を設けて、前記受け突起と前記逃げ溝とを整合させた状態で前記電極保持部を前記バッテリーポストの正規深さ位置に嵌合させた後、前記電極保持部を前記バッテリーポストの周りに回動させることにより、前記抜け止め部と前記受け突起とが係止する構成となっていることを特徴とする。
【０００７】
請求項３の発明は、請求項１記載のものにおいて、前記外れ止め構造は前記バッテリーポストを上方から覆うカバーであって、前記カバーには、前記バッテリーポストに嵌合した前記電極保持部を下方に押え付ける押え付け部と、前記カバーの側壁に形成された係止部とが形成されており、前記バッテリーに形成された前記受け構造は、前記カバーの前記係止部と係合して前記カバーを前記バッテリーに固定する係合部からなることを特徴とする。
【発明の効果】
【０００８】
＜請求項１の発明＞
請求項１の発明によれば、電極保持部をバッテリーポストに嵌合した状態で、外れ止め構造が形成された部品に対し一段階の変位操作を行うことにより、外れ止め構造を受け構造と係止させて、電極保持部がバッテリーポストから抜けることを防止できる。この結果、バッテリーポストとバッテリーターミナルとの接続作業を簡略化できる。
【０００９】
＜請求項２の発明＞
請求項２の発明によれば、バッテリーポストに形成された受け突起と、バッテリーターミナルの電極保持部に形成された逃げ溝とを整合させた状態で、電極保持部をバッテリーポストに対し上方から正規深さ位置に嵌合させた後、抜け止め部が形成された電極保持部をバッテリーポストの周りを回動させるという一段階の操作により、受け突起と抜け止め部とを係止させて、電極保持部の外れ止めをすることができる。
【００１０】
＜請求項３の発明＞
請求項３の発明によれば、バッテリーポストに嵌合された電極保持部の上方からカバーをバッテリーに組付けるという一段階の操作により、カバーの押圧部が電極保持部を下方に押圧することで電極保持部がバッテリーポストに保持されるようになっている。
【発明を実施するための最良の形態】
【００１１】
＜実施形態１＞
本発明の実施形態１について図１ないし図８によって説明する。本実施形態は、自動車等に搭載されるバッテリー１０の電極であるバッテリーポスト１１と、このバッテリーポスト１１に電線１８を接続するためのバッテリーターミナル１２との接続構造である。
【００１２】
バッテリー１０の上面のうちバッテリーポスト１１が配設される近傍の隅部は、上方から見て略方形状に切り欠かれて凹部１３が形成されており、この凹部１３の底面には、略方形状をなす板状の台座１４が配設されており、この台座１４の上面にバッテリーポスト１１が配設されている。このバッテリーポスト１１は軸線を上下方向に向けた略円柱状をなしており、図３に示すように、上端に向けて次第に径の小さくなったテーパー状の側面を有する。バッテリーポスト１１の上端縁の側面には、外方に突出する２つの受け突起１５が所定角度離間して形成されており、図３における右側のものは第１受け突起１５Ａとされ、左側に位置するものは第２受け突起１５Ｂとされる。これら両受け突起１５は、後述する回り止め突起１６及び回り止め撓み片１７と係止可能に構成されている。
【００１３】
上記のバッテリーターミナル１２は、電線１８の端末に配設された端子金具１９と接続するための電線接続部２０と、この電線接続部２０に連なってバッテリーポスト１１を取り囲むように形成された電極保持部２１とを備える。
【００１４】
上記の電線接続部２０は電極保持部２１よりも高さの低い箱型をなし、図６における上方に突出するスタッドボルト２２を備えてなる。このスタッドボルト２２には、電線１８の端末に接続された端子金具１９が嵌めこまれた後、ナット２３で固定されて、電線１８と電線接続部２０とが電気的に接続されるようになっている。
【００１５】
図６における電線接続部２０の左方には、電極保持部２１が連設されている。電極保持部２１は金属製の板材を曲げ形成して構成されており、バッテリーポスト１１の外周を取り囲むように弧状に回曲して形成されている。電極保持部２１の高さ寸法は、バッテリーポスト１１の下端縁から、バッテリーポスト１１に形成された受け突起１５の下端縁までの高さ寸法よりもやや小さく設定されており、電極保持部２１がバッテリーポスト１１に正規深さ位置まで嵌合された状態で、電極保持部２１がバッテリーポスト１１の周りを回動可能になっている。電極保持部２１のうち図４における左側には、左方に向けて延出された一対の延出片２４が形成されており、各延出片２４の先端はそれぞれ、対向する延出片２４側に向けて曲げ形成されている。
【００１６】
さて、電極保持部２１には、この電極保持部２１を構成する金属板材に略Ｈ字状の溝２５を切欠することにより、上下方向に延びる一対のばね片２６が形成されており、このばね片２６は、バッテリーポスト１１の外周面と弾性的に接触するようになっている。電極保持部２１には、このような略Ｈ字条の溝２５が略等間隔に離間して複数個（図示７つ）形成されており、各溝２５ごとにばね片２６が形成されている。図５に示すように、各ばね片２６は、側方から見て、電極保持部２１の内方に向かって山形に曲げ形成されており、頂点部分の内側面が、バッテリーポスト１１の外周面との接点部２７とされる。電極保持部２１がバッテリーポスト１１に嵌合した状態では、ばね片２６の接点部２７がバッテリーポスト１１の外周面と接触し、ばね片２６が電極保持部２１の外方に弾性変形する。このときの弾発力により接点部２７が電極保持部２１の内方に押圧されて、接点部２７とバッテリーポスト１１との電気的接続が図られるようになっている。
【００１７】
電極保持部２１には、バッテリーポスト１１の受け突起１５と対応する位置に、バッテリーポスト１１の軸線方向に沿って電極保持部２１の下端縁から上端縁まで延びると共に、受け突起１５を逃がすための逃げ溝２８が２つ形成されており、第１受け突起１５Ａと対応するものは第１逃げ溝２８Ａとされ、第２受け突起１５Ｂに対応するものは第２逃げ溝２８Ｂとされる。両逃げ溝２８により、電極保持部２１をバッテリーポスト１１に対して正規深さ位置まで嵌合させる際、両受け突起１５と電極保持部２１とが干渉することを防止できるようになっている。
【００１８】
電極保持部２１をバッテリーポスト１１に対して正規深さ位置まで嵌合した後、電極保持部２１をバッテリーポスト１１の周りを回動させると、電極保持部２１の上端縁２９が両受け突起１５の下面と下方から当接することで、電極保持部２１がバッテリーポスト１１から抜けるのを防止するようになっている。この電極保持部２１の上端縁２９が、請求項１に係る外れ止め構造及び請求項２に係る抜け止め部に相当する。
【００１９】
電極保持部２１の上端縁２９には、第１逃げ溝２８Ａが形成された位置から、反時計回り方向に所定間隔だけ離間した位置に、電極保持部２１の上端縁２９を切り起こして形成されると共に、バッテリーポスト１１の第１受け突起１５Ａと係止して電極保持部２１の回り止めをする第１回り止め撓み片１７Ａ（請求項１に係る外れ止め構造及び請求項２に係る抜け止め部に相当）が形成されている。この第１回り止め撓み片１７Ａは片持ち状をなして、反時計回り方向に延びており、上下方向に弾性変形可能になっている。電極保持部２１をバッテリーポスト１１に対して正規深さ位置まで嵌合した後、電極保持部２１をバッテリーポスト１１の周りを時計回りに回動させると、第１受け突起１５Ａが第１回り止め撓み片１７Ａに反時計回り方向から当接して下方に押圧し、第１回り止め撓み片１７Ａが下方に変位することで第１受け突起１５Ａが第１回り止め撓み片１７Ａを乗り越える。すると、第１回り止め撓み片１７Ａが復帰変形し、第１回り止め撓み片１７Ａの先端縁が、第１受け突起１５Ａと、反時計回り方向から係止することで電極保持部２１が反時計回りに回動するのを防止するようになっている。
【００２０】
また、第１回り止め撓み片１７Ａの反時計回り方向には、電極保持部２１の上端縁２９から上方に突設されると共に、バッテリーポスト１１の第１受け突起１５Ａと時計回り方向から係止して電極保持部２１が時計回り方向に回動するのを防止する第１回り止め突起１６Ａ（請求項１に係る外れ止め構造及び請求項２に係る抜け止め部に相当）が形成されている。
【００２１】
第１回り止め撓み片１７Ａと第１回り止め突起１６Ａとは、第１回り止め撓み片１７Ａと第１回り止め突起１６Ａとの間に第１受け突起１５Ａが収容可能な間隔を隔てて形成されている。電極保持部２１の上端縁２９のうち、第１回り止め撓み片１７Ａと第１回り止め突起１６Ａとの間の領域は、下方から第１受け突起１５Ａと係止することで、電極保持部２１がバッテリーポスト１１から抜けるのを防止するようになっている。
【００２２】
一方、第２逃げ溝２８Ｂが形成された位置から、時計回り方向に所定間隔だけ離間した位置には、バッテリーポスト１１の第２受け突起１５Ｂと係止して電極保持部２１の回り止めをする第２回り止め撓み片１７Ｂ及び第２回り止め突起１６Ｂ（請求項１に係る外れ止め構造及び請求項２に係る抜け止め部に相当）が形成されている。第２回り止め撓み片１７Ｂ及び第２回り止め突起１６Ｂは、第２回り止め撓み片１７Ｂが時計回り方向に片持ち状に延出されていること以外は、第１回り止め撓み片１７Ａ及び第１回り止め突起１６Ａと略同様の構成となっており、同一部分については説明を省略する。電極保持部２１をバッテリーポスト１１に正規深さ位置に嵌合した後、電極保持部２１をバッテリーポスト１１の周りを反時計回りに回動させて第２受け突起１５Ｂが第２回り止め撓み片１７Ｂを乗り越えると、第２回り止め撓み片１７Ｂの先端縁が第２受け突起１５Ｂと時計回り方向から係止すると共に、第２回り止め突起１６Ｂが第２受け突起１５Ｂと反時計回り方向から係止することで、電極保持部２１がバッテリーポスト１１の周りを回動するのを防止するようになっている。また、電極保持部２１の上端縁２９のうち、第２回り止め撓み片１７Ｂと第２回り止め突起１６Ｂとの間の領域は、下方から第２受け突起１５Ｂと係止することで、電極保持部２１がバッテリーポスト１１から抜けるのを防止するようになっている。
【００２３】
なお、第１受け突起１５Ａと、第１回り止め撓み片１７Ａ及び第１回り止め突起１６Ａとの配置は、第１受け突起１５Ａが第１回り止め撓み片１７Ａ及び第１回り止め突起１６Ａと係合した状態で、バッテリーターミナル１２の長手方向と、バッテリー１０に形成された凹部１３の底面の図８における右側の側縁５０とが略直行するように設定されている。また、詳細には図示しないが、第２受け突起１５Ｂと、第２回り止め撓み片１７Ｂ及び第２回り止め突起１６Ｂとの配置は、第２受け突起１５Ｂが第２回り止め撓み片１７Ｂ及び第２回り止め突起１６Ｂと係合した状態で、バッテリーターミナル１２の長手方向と、バッテリー１０に形成された凹部１３の底面の図８における上側の側縁５１とが略直行するように設定されている。このように本実施形態によれば、いずれの受け突起１５Ａ，１５Ｂを、対応する回り止め撓み片１７Ａ，１７Ｂ及び回り止め突起１６Ａ，１６Ｂと係止させるかにより、バッテリーターミナル１２に接続された電線１８の引き出し方向を選択しうるようになっている。
【００２４】
続いて、本実施形態の作用、効果について説明する。まず、図７に示すように、バッテリーポスト１１の上方から、第１受け突起１５Ａと第１逃げ溝２８Ａとを整合させると共に、第２受け突起１５Ｂと第２逃げ溝２８Ｂとを整合させた状態で、バッテリーターミナル１２の電極保持部２１を正規深さ位置まで嵌合させる。すると、電極保持部２１に形成されたばね片２６の接点部２７がバッテリーポスト１１の外周面と当接し、ばね片２６の弾発力により接点部２７とバッテリーポスト１１との電気的接続が図られる。
【００２５】
電極保持部２１がバッテリーポスト１１に対し正規深さ位置まで嵌合した状態では、両受け突起１５は電極保持部２１の上端面よりも上方に位置しており、電極保持部２１はバッテリーポスト１１の周りを回動可能になっている。この状態で、バッテリーターミナル１２をバッテリーポスト１１の周りに時計回り方向に回動させる。すると、バッテリーポスト１１の上端縁が、両受け突起１５の下端縁と下方から当接することで、バッテリーターミナル１２がバッテリーポスト１１から抜けるのを防止できる（図１及び図８参照）。
【００２６】
さらにバッテリーターミナル１２を回動させると、第１受け突起１５Ａが第１回り止め撓み片１７Ａに反時計回り方向から当接する。バッテリーターミナル１２の回動を続けると、第１受け突起１５Ａは、第１回り止め撓み片１７Ａを下方に押圧しつつ、下方に撓み変形した第１周り止め撓み片の上に乗り上げ、さらに第１回り止め撓み片１７Ａを乗り越える。すると、第１回り止め撓み片１７Ａは復帰変形する。第１受け突起１５Ａが第１回り止め突起１６Ａと反時計回り方向から当接することでバッテリーターミナル１２の反時計回り方向の回り止めがなされる。また、第１受け突起１５Ａが、復帰変形した第１回り止め撓み片１７Ａの先端縁と時計回り方向から当接することで、バッテリーターミナル１２の時計回り方向の回り止めがなされる。
【００２７】
この状態で、第１受け突起１５Ａの下端縁と、電極保持部２１の上端縁２９のうち第１回り止め撓み片１７Ａと第１回り止め突起１６Ａとの間の領域とが係止することで、電極保持部２１のバッテリーポスト１１からの抜け止めが図られる。また、第２受け突起１５Ｂの下端縁と、電極保持部２１の上端縁２９も係止しており、これにより電極保持部２１の抜け止めを一層確実なものとすることができる。
【００２８】
このように本実施形態によれば、バッテリーターミナル１２とバッテリーポスト１１との接続は、単にバッテリーターミナル１２を時計周り方向に回動させるという一段階の操作により行うことができ、その作業は極めて簡単である。
【００２９】
＜実施形態２＞
次に、本発明の実施形態２を図９ないし図１７によって説明する。本実施形態は、バッテリーポスト１１と、このバッテリーポスト１１に嵌合したバッテリーターミナル１２と、バッテリーポスト１１及びバッテリーターミナル１２を上方から覆うカバー３０とからなる。なお、実施形態１と同一部分には、同一符号を付して重複する説明を省略する。
【００３０】
図９に示すように、バッテリー１０の上面にはバッテリーポスト１１を収容するための凹部１３が下方に引っ込んで形成されており、この凹部１３は、バッテリー１０の上面の周縁部に、上方から見てバッテリー１０の内方に細長く延びる略矩形状に設けられている。凹部１３の底壁に配設された台座１４の上面にはバッテリーポスト１１が形成されており、このバッテリーポスト１１は軸線を上下方向に向けた略円柱状をなしており、上端に向けて次第に径の小さくなったテーパー状の側面を有する。
【００３１】
図１１に示すように、バッテリーターミナル１２は、電線１８の端末に配設された端子金具１９と接続するための電線接続部２０と、この電線接続部２０に連なってバッテリーポスト１１を取り囲むように形成された電極保持部２１とを備える。
【００３２】
図１１における電線接続部２０の左方には、電極保持部２１が連設されている。電極保持部２１は、金属製の板材を曲げ形成して構成されており、バッテリーポスト１１の外周を取り囲むように弧状に回曲して形成されている。電極保持部２１のうち図１０における左側は、左方に向けて延出された一対の延出片２４が形成されており、各延出片２４の先端はそれぞれ、対向する延出片２４側に向けて曲げ形成されている。
【００３３】
さて、カバー３０は大まかには細長い箱状をなしており、図１２における右側が下方に延出されることで側方から見て略Ｌ字状をなしている。図９におけるカバー３０の左右両側壁の外側面の前端部（図９における上側）には、略円柱状をなす一対の軸ピン３１が外方に突設されている。この軸ピン３１は、バッテリー１０に形成された凹部１３の内周壁のうち、図９における左右両側面から内方に突設された一対の軸受け部３２に嵌合される。これにより、この軸ピン３１及び軸受け部３２を回転軸としてカバー３０が、バッテリーポスト１１及びバッテリーターミナル１２を覆う被覆位置と、バッテリーポスト１１を露出させる開放位置との間で回動可能となっている。また、図９におけるカバー３０の左右両側壁の外側面のうち前後方向の略中央付近（図９における上下方向の略中央付近）には、下端部から一対の係止部３３が外方に突設されている。この係止部３３が、凹部１３の内周壁のうち、図１４における左右両側面から内方に突設された一対の板状をなす係合部３４と係止することで、カバー３０が被覆位置に保持されるようになっている。
【００３４】
カバー３０の上壁の内側面のうち図１３における左右方向の中央付近には、前端部（図１２の左端）から下方に垂下すると共に、バッテリーターミナル１２の電極保持部２１を下方に押え付けるための第１押え付け部３５が形成されている。この第１押え付け部３５は、電極保持部２１がバッテリーポスト１１に対して正規深さ位置に嵌合した状態において、カバー３０を被覆位置に保持したときに、電極保持部２１に上方から当接することで電極保持部２１を下方に押え付けるようになっている。
【００３５】
また、カバー３０の上壁の内側面のうち、前後方向（図１２の左右方向）の略中央付近やや後ろ側には、下方に垂下すると共にバッテリーターミナル１２の電線接続部２０を下方に押え付けるための一対の第２押え付け部３６が形成されている。この第２押え付け部３６は、電極保持部２１がバッテリーポスト１１に対して正規深さ位置に嵌合した状態において、カバー３０を被覆位置に保持したときに、電線接続部２０に上方から当接することで電線接続部２０を下方に押え付けるようになっている。なお、カバー３０が被覆位置に保持された場合には、一対の第２押え付け部３６の間には、スタッドボルト２２が収容されるようになっており、第２押え付け部３６とスタッドボルト２２とが干渉することを防止するようになっている。
【００３６】
続いて、本実施形態の作用、効果について説明する。まず、図１５に示すように、カバー３０を開放位置に保持した状態で、バッテリーポスト１１の上方から、バッテリーターミナル１２の電極保持部２１を嵌合させる。このとき電極保持部２１は、電極保持部２１に形成されたばね片２６がバッテリーポスト１１と接触することで、バッテリーポスト１１の上端部に載置された状態になっている。次に、カバー３０を軸ピン３１及び軸受け部３２を回転軸としてバッテリーポスト１１に向けて回動させていく。すると、図１６に示すように、第１押え付け部３５の下端縁が、電極保持部２１の上端縁２９と上方から当接し、電極保持部２１を下方に押さえつけ始める。さらにカバー３０を回動させていくと、電極保持部２１が下方に押さえつけられることで、バッテリーターミナル１２が電極保持部２１を下にして傾いた状態になる。カバー３０の回動が進行して、図１７に示す状態になると、第２押え付け部３６が電線接続部２０の上方から当接して、電線接続部２０を下方に押え付け始める。さらに図１２に示すように、カバー３０を回動させてカバー３０が被覆位置に達すると、第１押え付け部３５及び第２押え付け部３６によりそれぞれ、電極保持部２１及び電線接続部２０が均等に下方に押さえつけられることで、電極保持部２１がバッテリーポスト１１に対して正規深さ位置にまで嵌合すると共に、バッテリーターミナル１２が正規の姿勢に保持される。このとき、カバー３０の係止部３３が、バッテリー１０の凹部１３に形成された係合部３４を乗り越えて、下方から係合部３４に係止することで、カバー３０が被覆位置に保持される。
【００３７】
このように本実施形態によれば、バッテリーターミナル１２とバッテリーポスト１１との接続は、単にカバー３０を回動させるという一段階の操作により行うことができ、その作業は極めて簡単である。
【００３８】
＜実施形態３＞
続いて本発明の実施形態３を図１８及び図１９によって説明する。なお、実施形態１と同一部分には、同一符号を付して重複する説明を省略する。
【００３９】
バッテリーポスト１１の外周面には、高さ方向の略中央付近に、外方に突出すると共に、後述する外れ止め孔３７（請求項１の外れ止め構造及び請求項２の抜け止め部に相当）と係止する受け突起１５が形成されている。
【００４０】
電極保持部２１には、電極保持部２１を構成する金属板材を切り欠いた逃げ溝２８が形成されている。この逃げ溝２８は、電極保持部２１の下端縁からバッテリーポスト１１の軸線方向に沿って上方に延びて、バッテリーポスト１１の受け突起１５に対応する位置まで形成されている。これにより、電極保持部２１をバッテリーポスト１１に対して正規深さ位置まで嵌合させる際、受け突起１５と電極保持部２１とが干渉することを防止できるようになっている。
【００４１】
電極保持部２１には、逃げ溝２８の上端から図１９の右方に延びて、受け突起１５と係合する抜け止め溝３８が形成されている。これにより、電極保持部２１がこの抜け止め溝３８の下側の側縁は、受け突起１５の下端面と下方から当接することで、電極保持部２１がバッテリーポスト１１から抜けるのを防止するようになっており、請求項１の外れ止め構造及び請求項２の抜け止め部に相当する。
【００４２】
電極保持部２１には、図１９における抜け止め溝３８の右端から、やや右方に離間した位置に、受け突起１５を収容可能な外れ止め孔３７が形成されている。電極保持部２１のうち、抜け止め溝３８と外れ止め孔３７との間の領域は外方に撓み変形可能になっており、可撓部３９とされる。受け突起１５と逃げ溝２８とを整合させた状態で電極保持部２１をバッテリーポスト１１に対して正規深さ位置まで嵌合した後、電極保持部２１をバッテリーポスト１１の周りを時計回りに回動させると、まず、受け突起１５の右側面が、抜け止め溝３８の右端縁と右方から当接する。さらに電極保持部２１を回動させると、可撓部３９が外方に撓み変形して、受け突起１５の先端部が可撓部３９の内方を潜り抜けて外れ止め孔３７内に収容されるようになっている。すると、受け突起１５の外周面と、外れ止め孔３７の内周面とが当接することにより、電極保持部２１の回り止めがなされると共に、バッテリーポスト１１からの抜け止めを図ることができる（図１８参照）。
【００４３】
このように本実施形態によれば、バッテリーターミナル１２とバッテリーポスト１１との接続は、単にバッテリーターミナル１２を時計周り方向に回動させるという一段階の操作により行うことができる。
【００４４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４５】
（１）実施形態１では、外れ止め構造は、一方が回り止め撓み片１７であって、他方は回り止め突起１６であったが、これに限られず、図２０に示すように、双方が回り止め撓み片１７であってもよい。
【００４６】
（２）実施形態１において、バッテリーポスト１１には第１及び第２の受け突起１５Ａ，１５Ｂが形成されていたが、受け突起１５の個数は1つでもよいし、また３つ以上でもよい。
【００４７】
（３）実施形態１では、バッテリーターミナル１２を時計回りに回動することで、第１受け突起１５Ａが、第１回り止め撓み片１７Ａ及び第１回り止め突起１６Ａと係合する構成としたが、これに限られず、バッテリーターミナル１２を反時計回りに回動することで、第２受け突起１５Ｂが、第２回り止め撓み片１７Ｂ及び第２回り止め突起１６Ｂと係合する構成としてもよい。
【００４８】
（４）実施形態２では、カバー３０はバッテリー１０に軸ピン３１を介して回動可能に取り付けられていたが、これに限られず、バッテリー１０とは別部材として形成されたカバー３０をバッテリー１０に取り付けることにより、バッテリーターミナル１２をバッテリー１０に固定する構成としてもよい。
【００４９】
（５）実施形態２では、電線接続部２０を押し付ける第２押え付け部３６が形成される構成としたが、電極保持部２１を押え付ける第１押え付け部３５により電極保持部２１が強固に固定可能であれば、第２押え付け部３６を省略できる。
【００５０】
（６）実施形態３では、抜け止め溝３８及び外れ止め孔３７は、電極保持部２１をバッテリーポスト１１の周りを時計回り方向に変位させることで、バッテリーポスト１１の受け突起１５と係合する構成としたが、これに限られず、電極保持部２１を反時計回り方向に変位させることで、受け突起１５と、抜け止め溝３８及び外れ止め孔３７とを係合させる構成としてもよい。
【００５１】
（７）本実施形態では、電極保持部２１に形成されたばね片２６は、ばね片２６を曲げ形成することでバッテリーポスト１１との接点部２７を形成したが、これに限られず、接点部２７はばね片２６を叩き出して形成してもよい。
【図面の簡単な説明】
【００５２】
【図１】本発明の実施形態１に係るバッテリーポストとバッテリーターミナルの接続構造を示す側面図
【図２】同じくバッテリーポストの平面図
【図３】同じくバッテリーポストの側面図
【図４】同じくバッテリーターミナルの平面図
【図５】図４及び図１０におけるＡ−Ａ線断面図
【図６】同じくバッテリーターミナルの側面図
【図７】同じくバッテリーターミナルがバッテリーポストに対して正規深さ位置に嵌合した状態を示す平面図
【図８】同じくバッテリーターミナルがバッテリーポストに対して抜け止め状態に保持された状態を示す平面図
【図９】本発明の実施形態２に係るバッテリーポストとバッテリーターミナルとの接続構造を示す平面図
【図１０】同じくバッテリーターミナルの平面図
【図１１】同じくバッテリーターミナルの側面図
【図１２】同じく被覆位置におけるカバーの断面図及びバッテリーターミナルの側面図
【図１３】図１２におけるＢ−Ｂ線断面図
【図１４】図１２におけるＣ−Ｃ線断面図
【図１５】同じく開放位置におけるカバーの断面図及びバッテリーターミナルの側面図
【図１６】同じくカバー３０の回動途中の状態におけるカバーの断面図及びバッテリーターミナルの側面図
【図１７】図１６からカバーの回動状態が進行した状態を示すカバーの断面図及びバッテリーターミナルの側面図
【図１８】本発明の実施形態３に係るバッテリーポストとバッテリーターミナルの接続構造を示す側面図
【図１９】同じくバッテリーポスト及びバッテリーターミナルの側面図
【図２０】他の実施形態（１）に係るバッテリーポストとバッテリーターミナルの接続構造を示す側面図
【符号の説明】
【００５３】
１０…バッテリー
１１…バッテリーポスト
１２…バッテリーターミナル
１５…受け突起（受け構造）
１５Ａ…第１受け突起（受け構造）
１５Ｂ…第２受け突起（受け構造）
１６…回り止め突起（外れ止め構造）
１６Ａ…第１回り止め突起（外れ止め構造）
１６Ｂ…第２回り止め突起（外れ止め構造）
１７…回り止め撓み片（外れ止め構造）
２１…電極保持部
２６…ばね片
２８…逃げ溝
２８Ａ…第１逃げ溝
２８Ｂ…第２逃げ溝
２９…電極保持部の上端縁（外れ止め構造）
３０…カバー（外れ止め構造）
３３…係止部（外れ止め構造）
３４…係合部（受け構造）
３５…第１押え付け部（外れ止め構造）
３６…第２押え付け部（外れ止め構造）
３７…外れ止め孔（外れ止め構造）
３８…抜け止め溝（外れ止め構造）
【図１】
2006338999.tif 000003
【図２】
2006338999.tif 000004
【図３】
2006338999.tif 000005
【図４】
2006338999.tif 000006
【図５】
2006338999.tif 000007
【図６】
2006338999.tif 000008
【図７】
2006338999.tif 000009
【図８】
2006338999.tif 000010
【図９】
2006338999.tif 000011
【図１０】
2006338999.tif 000012
【図１１】
2006338999.tif 000013
【図１２】
2006338999.tif 000014
【図１３】
2006338999.tif 000015
【図１４】
2006338999.tif 000016
【図１５】
2006338999.tif 000017
【図１６】
2006338999.tif 000018
【図１７】
2006338999.tif 000019
【図１８】
2006338999.tif 000020
【図１９】
2006338999.tif 000021
【図２０】
2006338999.tif 000022